(57)【要約】【課題】回転軸装置に発生する現象の変化について、従来のように非常に短い周期でサンプリングを行うことなく、低コストで、且つ、精度の良い測定結果を得ることができる工作機械を提供する。【解決手段】加工が定常区間であると、サンプリング回数Ｎ回目の測定時における主軸２の回転位相を算出し、この算出した回転位相と測定値とを関連づけて記録部５に記録する。さらに、この測定及び測定時における主軸２の回転位相の算出を、主軸２の複数回の回転にわたって継続し、種々の回転位相で測定値を得ることにより、最終的に主軸２の１回転における駆動力の変化を求める。したがって、主軸２の駆動力の変化といった高速で変化する現象について、従来よりも長いサンプリング周期で測定するにも拘わらず、有用な測定結果を得ることができ、コスト低減を図ることができる。【選択図】図２
2018043317.tif 000002
【特許請求の範囲】
【請求項１】
回転軸を備えた回転軸装置と、前記回転軸装置に取り付けられ、前記回転軸の回転に同期して前記回転軸装置に周期的に発生する現象に係る情報を取得するセンサと、前記回転軸装置の動作を制御するとともに、前記センサを介して前記情報を取得する制御装置とを備えた工作機械であって、
前記制御装置は、前記回転軸を回転させての加工時に、当該加工が、前記回転軸装置への動作制御に係る指令に関して変化のない定常状態にあるか否かを判別し、
前記定常状態にあると、所定のサンプリング周期で前記センサを介して前記情報を取得するとともに、取得した前記情報と前記回転軸の回転位相とを関連づけ、前記回転軸の複数回の回転にわたって取得した前記情報をもとに、前記現象の１周期分の変化を求めることを特徴とする工作機械。
【請求項２】
回転軸を備えた回転軸装置と、前記回転軸装置に取り付けられ、前記回転軸の回転に同期して前記回転軸装置に周期的に発生する現象に係る情報を取得するセンサと、前記回転軸装置の動作を制御するとともに、前記センサを介して前記情報を取得する制御装置とを備えた工作機械であって、
前記制御装置は、前記回転軸を回転させての加工時に、当該加工が、加工状態に関して変化のない定常状態にあるか否かを判別し、
前記定常状態にあると、所定のサンプリング周期で前記センサを介して前記情報を取得するとともに、取得した前記情報と前記回転軸の回転位相とを関連づけ、前記回転軸の複数回の回転にわたって取得した前記情報をもとに、前記現象の１周期分の変化を求めることを特徴とする工作機械。
【請求項３】
前記回転軸に工具又は被切削材を装着する工作機械であって、
予め設定される前記被切削材の形状に係る情報と、前記工具の前記被切削材に対する相対的な動作経路と、現在の指令座標とから前記被切削材への切り込み量を算出し、その切り込み量が一定であることをもって前記定常状態であると判別することを特徴とする請求項２に記載の工作機械。
【発明の詳細な説明】
【技術分野】
【０００１】
本発明は、たとえば工具又はワークを回転させながら加工するための回転軸装置を備えた工作機械に関するものである。
【背景技術】
【０００２】
従来、回転軸を回転させながら加工を行う工作機械において、工作機械自体の状態診断や加工診断を行うにあたっては、動作中の振動や駆動力等を測定し、その測定結果にもとづいて診断を行うことが一般的となっている。たとえば、回転軸に工具を装着し、ワークに対して切削加工を行う場合、切削加工中の回転軸の駆動力を測定することによって、切削量の同定を行ったり、切削工具の状態を検出したりすることができる。
【０００３】
また、特許文献１に記載の発明では、加工対象の形状データ及び加工パスから求められる切削体積と被切削材の材質とにもとづいて切削時に発生する駆動力を算出し、算出した駆動力と実測した駆動力とを比較することにより、異常な加工を検出するようになっている。
さらに、特許文献２に記載の発明では、繰り返し加工を行う場合に、前回の正常な加工を行った際の駆動力と、今回の加工において実測した駆動力とを比較することにより、異常な加工を検出するようになっている。
加えて、近年では、回転軸の駆動力の他、工作機械の各部に振動センサやＡＥセンサを取り付けたり、変位センサを採用したりすることによって、工作機械上で発生する現象を一層明確に測定しようとする試みがなされている。
【先行技術文献】
【特許文献】
【０００４】
【特許文献１】特開２００４−１２６９５６号公報
【特許文献２】特開２０１２−２５４４９９号公報
【発明の概要】
【発明が解決しようとする課題】
【０００５】
しかしながら、従来の方法において、回転軸の駆動や切削を行う周期、軸受やガイド部品固有の振動周期等といった所望の現象の変化を検出するためには、非常に短いサンプリング周期で測定する必要がある。たとえば、切削刃が６枚の回転工具を用いた切削時における１刃毎の駆動力の変化を測定しようとすると、回転速度が１００００ｍｉｎ−１である場合、切削周期は１００μｓｅｃとなる。そのため、切削刃１枚毎に１０点サンプリングするには、サンプリング周期は１０μｓｅｃよりも速くなければならない。そして、このような高速でのサンプリングが必要になると、測定及び解析にコストがかかるという問題がある。
【０００６】
そこで、本発明は、上記問題に鑑みなされたものであって、回転軸装置に発生する現象の変化について、従来のように非常に短い周期でサンプリングを行うことなく、低コストで、且つ、精度の良い測定結果を得ることができる工作機械を提供しようとするものである。
【課題を解決するための手段】
【０００７】
上記目的を達成するために、本発明のうち請求項１に記載の発明は、回転軸を備えた回転軸装置と、前記回転軸装置に取り付けられ、前記回転軸の回転に同期して前記回転軸装置に周期的に発生する現象に係る情報を取得するセンサと、前記回転軸装置の動作を制御するとともに、前記センサを介して前記情報を取得する制御装置とを備えた工作機械であって、前記制御装置は、前記回転軸を回転させての加工時に、当該加工が、前記回転軸装置への動作制御に係る指令に関して変化のない定常状態にあるか否かを判別し、前記定常状態にあると、所定のサンプリング周期で前記センサを介して前記情報を取得するとともに、取得した前記情報と前記回転軸の回転位相とを関連づけ、前記回転軸の複数回の回転にわたって取得した前記情報をもとに、前記現象の１周期分の変化を求めることを特徴とする。
また、上記目的を達成するために、本発明のうち請求項２に記載の発明は、回転軸を備えた回転軸装置と、前記回転軸装置に取り付けられ、前記回転軸の回転に同期して前記回転軸装置に周期的に発生する現象に係る情報を取得するセンサと、前記回転軸装置の動作を制御するとともに、前記センサを介して前記情報を取得する制御装置とを備えた工作機械であって、前記制御装置は、前記回転軸を回転させての加工時に、当該加工が、加工状態に関して変化のない定常状態にあるか否かを判別し、前記定常状態にあると、所定のサンプリング周期で前記センサを介して前記情報を取得するとともに、取得した前記情報と前記回転軸の回転位相とを関連づけ、前記回転軸の複数回の回転にわたって取得した前記情報をもとに、前記現象の１周期分の変化を求めることを特徴とする。
請求項３に記載の発明は、請求項２に記載の発明において、前記回転軸に工具又は被切削材を装着する工作機械であって、予め設定される前記被切削材の形状に係る情報と、前記工具の前記被切削材に対する相対的な動作経路と、現在の指令座標とから前記被切削材への切り込み量を算出し、その切り込み量が一定であることをもって前記定常状態であると判別することを特徴とする。
【発明の効果】
【０００８】
本発明によれば、回転軸を回転させての加工時に、当該加工が、回転軸装置への動作制御に係る指令に関して変化のない定常状態にあるか否かを判別したり（請求項１）、当該加工が、加工状態に関して変化のない定常状態にあるか否かを判別したりする（請求項２）。そして、定常状態にあると、所定のサンプリング周期でセンサを介して情報を取得するとともに、取得した情報と回転軸の回転位相とを関連づけ、回転軸の複数回の回転にわたって取得した情報をもとに、現象の１周期分の変化を求めるため、たとえば主軸の駆動力の変化といった高速で変化する現象について、従来よりも長いサンプリング周期で測定するにも拘わらず、有用な測定結果を得ることができ、コスト低減を図ることができる。また、従来では変化の周期が速すぎて技術的に困難であった現象についても測定することができるし、定常状態である場合にのみ測定するため、信頼性の高い測定結果を得ることができる。
【図面の簡単な説明】
【０００９】
【図１】工作機械を示した説明図である。
【図２】主軸装置に発生する現象の測定に係る制御について示したフローチャート図である。
【図３】主軸の駆動力の周期的な変化とサンプリングとの対応関係を示した説明図である。
【図４】５０μｓｅｃ毎に測定して得られる主軸の駆動力の１周期分の変化を示した説明図である。
【図５】３０ｍｓｅｃ毎の測定で、最終的に得られる主軸の駆動力の１周期分の変化を示した説明図である。
【発明を実施するための形態】
【００１０】
以下、本発明の一実施形態となる工作機械について、図面にもとづき詳細に説明する。
【００１１】
図１は、工作機械２０を示した説明図である。
工作機械２０は、所謂マシニングセンタであって、主軸装置１１と制御装置１２とを有する。主軸装置１１の主軸頭３には、回転軸となる主軸２や、主軸２を回転させるための駆動装置（図示せず）等が備えられており、主軸２の先端には、工具を備えた工具ホルダ１が装着可能となっている。また、主軸頭３を始めとする主軸装置１１の主要構成部品には、主軸２の駆動力を測定するためのセンサ（たとえば、駆動装置の所要電力を測定するセンサ）や、主軸装置１１に生じる振動を測定するためのセンサ等が取り付けられている。一方、制御装置１２は、主軸２の動作を制御するとともに、主軸装置１１の状態や主軸装置１１での加工を診断するためのものであって、上記各種センサに接続され、主軸装置１１における種々の情報を測定する測定部４、所定のサンプリング周期で測定値を記録する記録部５、及び記録部５に記憶された値をもとに種々の演算処理を行う演算部６を備えている。
【００１２】
そして、本発明の要部となる主軸装置１１に発生する現象の測定に係る制御ついて、図２のフローチャート図に沿って説明する。ここでは、切削刃が３枚の工具を用いた切削時における主軸２の駆動力の変化を測定することとする。
制御装置１２は、主軸２の駆動力の変化を測定するにあたり、まず、切削加工するに際して設定された回転軸回転周期ＬＴで主軸２が回転している主軸装置１１から、所定のサンプリング周期ＳＴ（たとえば３０ｍｓｅｃ）で主軸２の駆動力を測定する（Ｓ１）。次に、制御装置１２から主軸装置１１に対する回転速度指令や送り速度指令に変化がないこと（回転軸装置への動作制御に係る指令に関して変化がないこと）、及び予め記録部５に記録されている被切削材の形状に係る情報や工具の動作経路、そして現在の指令座標にもとづいて被切削材に対する軸方向及び径方向の切り込み量を算出し、その切り込み量が一定であること（加工状態に関して変化がないこと）から、被切削材に対して同一の加工が行われている定常区間であるか否か（すなわち、加工が定常状態であるか否か）を判別する（Ｓ２）。そして、制御装置１２は、加工が定常区間である場合にのみ測定を継続し、加工が定常区間を外れると、即座に測定を中止する。
【００１３】
また、制御装置１２は、加工が定常区間であると、下記式（１）を用いて、すなわち、サンプリング周期ＳＴとサンプリング回数Ｎとの積算を回転軸回転周期ＬＴで除した値の小数部分によって、サンプリング回数Ｎ回目の測定時における主軸２の回転位相を算出し（Ｓ３）、この算出した回転位相と測定値とを関連づけて記録部５に記録する（Ｓ４）。そして、主軸２の複数回の回転にわたって、この測定及び測定時における主軸２の回転位相の算出を継続し、種々の回転位相での測定値を得ることにより、最終的に図５に示すような主軸２の１回転における駆動力の変化（すなわち、１周期分の変化）を求める。
【数１】
2018043317.tif 000003
【００１４】
ここで、図３〜図５にもとづいて、本実施形態のように３０ｍｓｅｃ毎に測定する場合と、従来のように５０μｓｅｃ毎に測定する場合とを比較する。５０μｓｅｃ毎に測定する従来の方法では、主軸２が１回転する間に、その駆動力の変化を略リアルタイムで測定することができ、図４に示すような測定結果を得ることができる。一方、本実施形態のように３０ｍｓｅｃ毎に測定する方法では、主軸２が１回転する間に、１点若しくは２点程度しか駆動力を測定できない。しかしながら、図３に示すように加工が定常区間である間に、複数回の回転にわたって駆動力を測定するとともに、その測定値と主軸２の回転位相とを関連づけ、複数回の回転にわたる測定値を統合することで、図５に示すような１回転における駆動力の変化として求めることができる。そして、図４と図５とを比較して明らかなように、３０ｍｓｅｃ毎に測定した場合にも、５０μｓｅｃ毎に測定した測定結果と近似する測定結果を得ることができる。
【００１５】
以上のような構成を有する工作機械２０によれば、制御装置１２から主軸装置１１に対する回転速度指令や送り速度指令に変化がないこと、及び予め記録部５に記録されている被切削材の形状に係る情報や工具の動作経路、そして現在の指令座標にもとづいて被切削材に対する軸方向及び径方向の切り込み量を算出し、その切り込み量が一定であることから、被切削材に対して同一の加工が行われている定常区間であるか否かを判別する。そして、加工が定常区間であると、式（１）を用いてサンプリング回数Ｎ回目の測定時における主軸２の回転位相を算出し、この算出した回転位相と測定値とを関連づけて記録部５に記録する。さらに、この測定及び測定時における主軸２の回転位相の算出を、主軸２の複数回の回転にわたって継続し、種々の回転位相で測定値を得ることにより、最終的に主軸２の１回転における駆動力の変化を求める。したがって、主軸２の駆動力の変化といった高速で変化する現象について、従来よりも長いサンプリング周期で測定するにも拘わらず、有用な測定結果を得ることができ、コスト低減を図ることができる。また、従来では変化の周期が速すぎて技術的に困難であった現象についても測定することができるし、定常状態である場合にのみ測定するため、信頼性の高い測定結果を得ることができる。
【００１６】
なお、本発明の工作機械に係る構成は、上記実施形態に何ら限定されるものではなく、工作機械全体の構成は勿論、現象の測定に係る制御等に係る構成についても、本発明の趣旨を逸脱しない範囲で必要に応じて適宜変更可能である。
【００１７】
たとえば、上記実施形態ではマシニングセンタの主軸装置について説明しているが、旋盤の主軸装置や送り軸装置等、本発明は他の工作機械、回転軸装置についても好適に適用することができる。
また、上記実施形態では、周期的に変化する現象として主軸の駆動力を挙げているが、これに限定されることはなく、たとえば送り軸といった他の駆動軸の駆動力であってもよいし、回転軸装置に発生する振動、変位、温度等であってもよい。具体的に例示すると、送り軸（回転軸）に振動センサ（センサ）を取り付け、送り軸を一定速度で回転させて移動体を移動させる際の振動を測定してもよい。このような測定結果を得ることで、送り軸移動に係るベアリングやボールねじの状態を診断することができる。
【００１８】
さらに、上記実施形態では、回転軸装置への動作制御に係る指令に関して変化がないこと、及び加工状態に関して変化がないことの両方をもって定常状態であるか否かを判別しているが、何れか一方のみによって定常状態であるか否かを判別してもよい。
加えて、上記実施形態では、被切削材への切り込み量が一定であることをもって、加工状態に関して変化がないとしているが、たとえば送り方向の変化がないことや機械温度の変化がないこと等、他の条件に変化がないことをもって加工状態に関して変化がないとするように構成することも可能である。
【符号の説明】
【００１９】
２・・主軸（回転軸）、４・・測定部、５・・記録部、６・・演算部、１１・・主軸装置（回転軸装置）、１２・・制御装置、２０・・工作機械。
【図１】
2018043317.tif 000004
【図２】
2018043317.tif 000005
【図３】
2018043317.tif 000006
【図４】
2018043317.tif 000007
【図５】
2018043317.tif 000008